(57)【要約】      （修正有）【課題】着用したユーザの体感温度を低下させることができる絶縁上着を提供する。【解決手段】絶縁上着１０１は、ユーザの腕を覆う袖部（内側部１０２の内側袖部１２３Ｌ、１２３Ｒ）と、ユーザの上半身を覆う本体部（内側部１０２の内側本体部１２１）と、少なくとも前記袖部から前記本体部の胸部を覆い、少なくともユーザの腕について絶縁性能を有する絶縁部（外側部１０３）と、を有する絶縁上着であって、前記本体部に配置され、前記本体部の内部に外部の空気を導入するファン部（空調装置１０４）を有する。【選択図】図２
2020193398.tif 000002
【特許請求の範囲】
【請求項１】
ユーザの腕を覆う袖部と、
ユーザの上半身を覆う本体部と、
少なくとも前記袖部から前記本体部の胸部を覆い、少なくともユーザの腕について絶縁性能を有する絶縁部と、
を有する絶縁上着であって、
前記本体部に配置され、前記本体部の内部に外部の空気を導入するファン部を有する
絶縁上着。
【請求項２】
前記本体部の胴回りの下端部の少なくとも一部は、前記絶縁部よりも絞れる構造又は柔らかい材質で形成された柔部を有し、
この柔部は、前記ファン部が導入した空気を漏らさないように形成されている
請求項１に記載の絶縁上着。
【請求項３】
ユーザの肩部付近に前記ファン部が導入した空気を前記袖部に導風するために、前記本体部とユーザとの間に導風空間を形成する導風構造を有する
請求項１又は２に記載の絶縁上着
【請求項４】
前記絶縁部と、前記本体部とは、着脱自在に形成されている
請求項１〜３のいずれか１項に記載の絶縁上着。
【発明の詳細な説明】
【技術分野】
【０００１】
本発明は、感電防止に用いられる絶縁上着に関する。
【背景技術】
【０００２】
従来、感電災害の虞がある作業現場において、作業者は安全性確保のために絶縁材料によって形成された絶縁服を着用して作業を行っていた。
【０００３】
ここで、絶縁服等の絶縁用保護具は、労働安全衛生法の規定に基づき、常温において試験交流（５０ヘルツ又は６０ヘルツの周波数の交流で、その波高率が、１．３４から１．４８までのものをいう）による耐電圧試験を行ったときに、交流の電圧が３００Ｖを超え６００Ｖ以下である電路について用いるものは３０００Ｖ、交流の電圧が６００Ｖを超え３５００Ｖ以下である電路又は直流の電圧が７５０Ｖを超え、３５００Ｖ以下である電路について用いるものは１２０００Ｖ、そして電圧が３５００Ｖを超え７０００Ｖ以内である電路について用いるものは２００００Ｖの電圧に対して一分間耐える性能を有するものでなければならない旨が定められている。
【０００４】
感電災害の虞のある作業現場で用いられる絶縁服として、例えば特許文献１に記載の電気絶縁服がある。
【先行技術文献】
【特許文献】
【０００５】
【特許文献１】特開昭５７−１９９８０４号公報
【発明の概要】
【発明が解決しようとする課題】
【０００６】
従来、縁絶服は、もともと高圧電線における活線作業において使用されることを主たる目的としている。そのため数千ボルト程度の高電圧に対して安全に使用できるだけの電気絶縁性を獲得するために、一般の衣服に比し生地素材が厚く、通気性を低くせざるを得ず、着用したユーザ（作業者）の体感温度が必要以上に上昇し、ユーザに不快感を与える、作業性が低下する等の問題が多々あった。
【０００７】
本発明は、着用したユーザの体感温度を低下させることができる絶縁上着の提供を目的とする。
【課題を解決するための手段】
【０００８】
本発明の絶縁上着は、ユーザの腕を覆う袖部と、ユーザの上半身を覆う本体部と、少なくとも前記袖部から前記本体部の胸部を覆い、少なくともユーザの腕について絶縁性能を有する絶縁部と、を有する絶縁上着であって、前記本体部に配置され、前記本体部の内部に外部の空気を導入するファン部を有する。
【０００９】
好適には、前記本体部の胴回りの下端部の少なくとも一部は、前記絶縁部よりも絞れる構造又は柔らかい材質で形成された柔部を有し、この柔部は、前記ファン部が導入した空気を漏らさないように形成されている。
【００１０】
好適には、ユーザの肩部付近に前記ファン部が導入した空気を前記袖部に導風するために、前記本体部とユーザとの間に導風空間を形成する導風構造を有する。
【００１１】
好適には、前記絶縁部と、前記本体部とは、着脱自在に形成されている。
【発明の効果】
【００１２】
本発明における絶縁上着によって、着用したユーザの体感温度を低下させることが可能となった。
【図面の簡単な説明】
【００１３】
【図１】本発明の第１の実施形態の絶縁上着を示す正面図である。
【図２】本発明の第１の実施形態の絶縁上着を示す背面図である。
【図３】本発明の第１の実施形態の内側部を示す正面図である。
【図４】本発明の第１の実施形態の内側部のスナップボタン配置を示す説明図である。
【図５】本発明の第１の実施形態の外側部のスナップボタン配置を示す説明図である。
【図６】本発明の第１の実施形態の絶縁上着を示す断面図である。
【図７】本発明の第２の実施形態の絶縁上着を示す正面図である。
【図８】本発明の第２の実施形態の絶縁上着を示す背面図である。
【図９】本発明の第２の実施形態の絶縁上着のファスナの配置を示す説明図である。
【発明を実施するための形態】
【００１４】
［第１の実施形態］  以下、図１〜図６を参照して、本発明の第１の実施形態を詳細に説明する。第１の実施形態は、前記本体部の内部に外部の空気を導入するファン部を有することを特徴とする。  
【００１５】
＜第１の実施形態の構成＞
図１は、本発明の第１の実施形態の絶縁上着を示す正面図である。
図２は、本発明の第１の実施形態の絶縁上着を示す背面図である。
図３は、本発明の第１の実施形態の内側部を示す正面図である。  図４は、本発明の第１の実施形態の内側部のスナップボタン配置を示す説明図である。  図５は、本発明の第１の実施形態の外側部のスナップボタン配置を示す説明図である。  図６は、本発明の第１の実施形態の絶縁上着を示す断面図である。  
【００１６】
まず、図１を用いて絶縁上着１０１の正面側を説明する。  図１において、絶縁上着１０１は、ジャンパー型の内側部１０２と、絶縁性及び防水性が高い材質Ａ（例えば絶縁布）で形成された外側部１０３とを、スナップボタン１５１Ｌ、１５１Ｒ、１５３Ｌ、１５３Ｒ、１５４Ｌ（図２参照）、１５４Ｒ（図２参照）、１５５Ｌ（図２参照）、１５５Ｒ（図２参照）、１５６（図３参照）、１５７（図３参照）、１５８（図５参照）、１５９（図５参照）、１６０（図５参照）、１６１（図５参照）により結合したものであり、ユーザ（作業者）が上半身に着用して使用される。  
【００１７】
絶縁上着１０１の内側部１０２は、前記絶縁性及び防水性が高い材質Ａよりも柔らかい材質Ｂ（例えば、メリヤス等の布）で形成され、ユーザ（作業者）の上半身胴体部分を覆う内側本体部１２１（図３参照）と、作業者の胸側において内側本体部１２１の左側及び右側の端部側部分を連結・分離自在な内側結合部１２２（図４参照）と、前記材質Ｂで形成され、ユーザの左右の腕を覆う左右の内側袖部１２３Ｌ（図３参照）、１２３Ｒ（図３参照）と、前記材質Ｂで形成された内側襟部１２４を有している。  
【００１８】
内側部１０２の内側本体部１２１は、結合部１２２（図４参照）により、左側前身頃１２５Ｌと右側前身頃１２５Ｒのそれぞれの端部側部分を連結・分離自在になっている。左側前身頃１２５Ｌの右辺には、覆部１２６（図４参照）が連続して形成されている。覆部１２６は、前記材質Ｂで形成され、結合部１２２を前方から覆う。  
【００１９】
内側本体部１２１の下辺左側及び右側には、ゴムを内設した左右の絞り部１２７Ｌ、１２７Ｒが設けられている。左右の絞り部１２７Ｌ、１２７Ｒは、後述のファン部（空調装置１０４）が導入した空気を内側本体部１２１の下辺（裾）から漏らさないようにしている。  
【００２０】
図２において、内側部１０２の裏側には、スペーサ１２８が、ユーザの胸、肩、及び背中上部に対応する位置を亘って設けられている。スペーサ１２８には、隙間１２９が設けられており、後述の空調装置１０４からの空気を通り易くしている。  
【００２１】
図１において、絶縁上着１０１の外側部１０３は、絶縁性及び防水性が高い材質Ａで形成され、内側本体部１２１の外側からユーザの胴体上側部分を覆う外側本体部１３１と、作業者の胸側において外側本体部１３１の左側及び右側の端部側部分を連結・分離自在な結合部１３２ａ、１３２ｂ（図５参照）及びスナップボタン１３２ｃと、前記材質Ａで形成され、ユーザの左右の腕を覆う左右の袖部１３３Ｌ、１３３Ｒと、前記材質Ａで形成された襟部１３４を有している。  
【００２２】
結合部１３２ａ、１３２ｂ（図５参照）及びスナップボタン１３２ｃは、外側本体部１３１の左側前身頃１３５Ｌと右側前身頃１３５Ｒを結合させるものである。左側前身頃１３５Ｌの右辺には、覆部１３６（図５参照）が連続して形成されている。覆部１３６は、前記材質Ａで形成され、結合部１３７を前方から覆う。結合部１３７は、前記材質Ａで帯状に形成され、覆部１３６の裏面に形成されている。  
【００２３】
左右の袖部１３３Ｌ、１３３Ｒの手首に対応する位置には、面ファスナ構造（所謂、マジックテープ構造）を用いた締付バンド１３８Ｌ、１３８Ｒが形成されている。締付バンド１３８Ｌ、１３８Ｒは、左右の袖部１３３Ｌ、１３３Ｒの手首に対応する位置を締め付けるようになっている。  
【００２４】
次に、図２を用いて絶縁上着１０１の背面を説明する。  図２において、絶縁上着１０１の外側部１０３の外側本体部１３１の背面側は、前記材質Ａで形成された後身頃１３５Ｂとなっている。  
【００２５】
内側部１０２の内側本体部１２１の背面側は前記材質Ｂで形成された後身頃１２５Ｂとなっている。後身頃１２５Ｂの裏側には、空調装置１０４が設けられている。  後身頃１２５Ｂの裏側の左右肩甲骨に対応する部分には、スペーサ１２８が配置されている。  
【００２６】
空調装置１０４は、取り付け領域１４１に左右のエアインテーク１４２Ｌ、１４２Ｒを設け、左右のエアインテーク１４２Ｌ、１４２Ｒ内に左右の空調ファン１４３Ｌ、１４３Ｒを設けたものである。左右の空調ファン１４３Ｌ、１４３Ｒは、モータとバッテリによって回転駆動されるようになっている。  
【００２７】
後身頃１２５Ｂの左寄り及び右寄りには、空調装置１０４の左右のエアインテーク１４２Ｌ、１４２Ｒに通じる左右の開口部１３０Ｌ、１３０Ｒが設けられている。  
【００２８】
絶縁上着１０１の外部の空気は、開口部１３０Ｌ、１３０Ｒを介して左右の空調ファン１４３Ｌ、１４３Ｒにより絶縁上着１０１の内側部１０２の内部に送風され、スペーサ１２８の隙間１２９を通って絶縁上着１０１の内側部１０２とユーザの体との間を循環し、内側部１０２の袖部１２３Ｌ、１２３Ｒとユーザの手首との隙間、内側部１０２の襟部１２４とユーザの首部との隙間を通って、絶縁上着１０１の外側に排出される。  
【００２９】
尚、空調装置１０４により送風された空気の経路は、前記の経路に限らず、絶縁上着１０１の内側部１０２とユーザの肩部との間を通過して、袖部１２３Ｌ、１２３Ｒとユーザの手首との隙間のみから外部に排出される、襟部１２４のみから排出される等、各種適用可能である。  
【００３０】
次に、図４を用いて、結合部１２２の構造について説明する。  図４において、結合部１２２は、ファスナ構造であり、スライダ（開閉部品）１２２ａのスライドにより、内側本体部１２１における左側前身頃１２５Ｌと右側前身頃１２５Ｒの開閉を行えるようになっている。  
【００３１】
次に、図５を用いて、結合部１３２ａ、１３２ｂ及びスナップボタン１３２ｃの構造について説明する。  
【００３２】
図５において、結合部１３２ａ、１３２ｂは、面ファスナ構造を採用している。結合部１３２ａ、１３２ｂのフック面１３２ａ−１、１３２ｂ−１は、覆部１３６の裏側右辺近傍に取り付けられている。結合部１３２ａ、１３２ｂのループ面１３２ａ−２、１３２ｂ−２は、右側前身頃１３５Ｒの表側に設けられている。フック面１３２ａ−１、１３２ｂ−１は、ループ面１３２ａ−２、１３２ｂ−２に係止するようになっている。  
【００３３】
スナップボタン１３２ｃの凸側１３２ｃ−１は、覆部１３６の裏側右辺近傍の下側に取り付けられている。スナップボタン１３２ｃの凹側１３２ｃ−２は、右側前身頃１３５Ｒの表側に設けられている。スナップボタン１３２ｃは、ユーザが覆部１３６の表側からスナップボタン１３２ｃの押圧部を操作することで、凸側１３２ｃ−１と凹側１３２ｃ−２が嵌合するようになっている。  
【００３４】
次に、図１、図３及び図５を用いて、スナップボタン１５１Ｌ、１５１Ｒ、１５２Ｌ、１５２Ｒ、１５３Ｌについて説明する。  
【００３５】
図１及び図５に示すスナップボタン１５１Ｌ、１５１Ｒの凸側は、外側部１０３の左側前身頃１３５Ｌ、右側前身頃１３５Ｒの裏面下側に設けられる。  
【００３６】
図３において、スナップボタン１５１Ｌ、１５１Ｒの凹側１５１Ｌ−２、１５１Ｒ−２は、内側部１０２の左側前身頃１２５Ｌ、右側前身頃１２５Ｒの表面下側に設けられる。  
【００３７】
スナップボタン１５１Ｌ、１５１Ｒの凸側は、ユーザの押圧操作により、凹側１５１Ｌ−２、１５１Ｒ−２と嵌合する。  
【００３８】
図１及び図５に示すスナップボタン１５３Ｌ、１５３Ｒの凹側は、外側部１０３の袖部１３３Ｌ、１３３Ｒの裏面に設けられる。  
【００３９】
図３において、スナップボタン１５３Ｌ、１５３Ｒの凸側１５３Ｌ−２、１５３Ｒ−２は、内側部１０２の袖部１２３Ｌ、１２３Ｒの表面に設けられる  
【００４０】
スナップボタン１５３Ｌ、１５３Ｒの凹側は、ユーザの押圧操作により、凸側１５３Ｌ−２、１５３Ｒ−２と嵌合する。  
【００４１】
次に、図２を用いて、スナップボタン１５４Ｌ、１５４Ｒ、１５５Ｌ、１５５Ｒについて説明する。  
【００４２】
図２において、スナップボタン１５４Ｌ、１５４Ｒの凹側は、外側部１０３の襟部１３４の内側面に設けられる。  
【００４３】
スナップボタン１５４Ｌ、１５４Ｒの凸側は、内側部１０２の襟部１２４の外側面に設けられる。  
【００４４】
スナップボタン１５４Ｌ、１５４Ｒの凹側は、ユーザの押圧操作により、スナップボタン１５４Ｌ、１５４Ｒの凸側と嵌合する。  
【００４５】
スナップボタン１５５Ｌ、１５５Ｒの凸側は、外側部１０３の後身頃１３５Ｂの内側面の下側に設けられる。  
【００４６】
スナップボタン１５５Ｌ、１５５Ｒの凹側は、内側部１０２の後身頃１２５Ｂの外側面に設けられる。  
【００４７】
スナップボタン１５５Ｌ、１５５Ｒの凹側は、ユーザの押圧操作により、スナップボタン１５５Ｌ、１５５Ｒの凸側と嵌合する。  
【００４８】
次に、図４を用いて、スナップボタン１５６、１５７について説明する。  スナップボタン１５６、１５７の凹側１５６−１、１５７−１は、覆部１２６の裏側の上下中央付近において上下に並べて設けられている。  
【００４９】
スナップボタン１５６、１５７の凸側１５６−２、１５７−２は、右側前身頃１３５Ｒの左辺寄りの上下中央付近において上下に並べて設けられている。  
【００５０】
スナップボタン１５６、１５７の凹側１５６−１、１５７−１は、ユーザが外側部１０３を着用せず、内側部１０２のみを着用する場合において、ユーザの押圧操作により、スナップボタン１５６、１５７の凸側１５６−２、１５７−２と嵌合する。  
【００５１】
次に、図５及び図６を用いて、スナップボタン１５８、１５９、１６０、１６１について説明する。  
【００５２】
図５において、スナップボタン１５８の凸側１５８−２（図６参照）は、結合部１３７の裏面の上側に設けられている。  
【００５３】
スナップボタン１５８の凸側１５８−２（図６参照）は、ユーザが内側部１０２に外側部１０３を取り付ける際に、ユーザの押圧操作により、スナップボタン１５６の凹側１５６−１（図４及び図６参照）と嵌合する。  
【００５４】
スナップボタン１５９の凸側は、結合部１３７の裏面の下側に設けられている。  スナップボタン１５９の凸側は、ユーザが内側部１０２に外側部１０３を取り付ける際に、ユーザの押圧操作により、スナップボタン１５７の凹側１５７−１（図４参照）と嵌合する。  
【００５５】
スナップボタン１６０の凹側１６０−１（図６参照）は、右側前身頃１３５Ｒの裏面の左辺寄り上側に設けられている。  
【００５６】
スナップボタン１６０の凹側１６０−１（図６参照）は、ユーザが内側部１０２に外側部１０３を取り付ける際に、ユーザの押圧操作により、スナップボタン１５６の凸側１５６−２（図４及び図６参照）と嵌合する。  
【００５７】
スナップボタン１６１の凹側は、右側前身頃１３５Ｒの裏面の左辺寄り下側に設けられている。  
【００５８】
スナップボタン１６１の凹側は、ユーザが内側部１０２に外側部１０３を取り付ける際に、ユーザの押圧操作により、スナップボタン１５７の凸側１５７−２（図４参照）と嵌合する。
【００５９】
＜本発明の実施の形態の構成及び効果＞
本発明の実施の形態の絶縁上着１０１は、ユーザの腕を覆う袖部（内側部１０２の内側袖部１２３Ｌ、１２３Ｒ）と、ユーザの上半身を覆う本体部（内側部１０２の内側本体部１２１）と、少なくとも前記袖部から前記本体部の胸部を覆い、少なくともユーザの腕について絶縁性能を有する絶縁部（外側部１０３）と、を有する絶縁上着であって、前記本体部に配置され、前記本体部の内部に外部の空気を導入するファン部（空調装置１０４）を有する。
【００６０】
尚、絶縁部（外側部１０３）は、ユーザの腕のみについて絶縁性能を有する仕様としてもよく、ユーザの腕及び胸部の両方について絶縁性能を有する仕様としてもよい。
【００６１】
前記本体部（内側部１０２の内側本体部１２１）の胴回りの下端部の少なくとも一部は、前記絶縁部よりも絞れる構造又は柔らかい材質で形成された柔部を有し、この柔部は、前記ファン部（空調装置１０４）が導入した空気を漏らさないように形成されている。
【００６２】
絶縁上着１０１は、ユーザの肩部付近に前記ファン部（空調装置１０４）が導入した空気を前記袖部（内側部１０２の内側袖部１２３Ｌ、１２３Ｒ）に導風するために、前記本体部（内側部１０２の内側本体部１２１）とユーザとの間に導風空間を形成する導風構造（スペーサ１２８）を有する。
【００６３】
好適には、前記絶縁部（外側部１０３）と、前記本体部（内側部１０２の内側本体部１２１）とは、着脱自在に形成されている。
【００６４】
以上説明した本発明の実施の形態によれば、絶縁上着１０１の外部の空気は、開口部１３０Ｌ、１３０Ｒを介して空調装置１０４の左右の空調ファン１４３Ｌ、１４３Ｒにより絶縁上着１０１の内部に送風され、スペーサ１２８の隙間１２９を通って絶縁上着１０１とユーザの体との間を循環し、袖部１２３Ｌ、１２３Ｒや襟部１２４とユーザの体との隙間を通って絶縁上着１０１の外側に排出されるので、絶縁上着１０１を着用したユーザの体感温度を低下させることができる。
【００６５】
また、絶縁上着１０１は、絶縁機能及び空調機能を同時に備えている。  さらに、空調装置１０４による空調機能を備える内側部１０２は、絶縁性及び防水性を有する外側部１０３から着脱可能である。
【００６６】
さらに、空調装置１０４は、内側部１０２の洗濯やメンテナンスのため、内側部１０２から取り外しが可能になっている。  さらに、内側本体部１２１の下部は、ユーザが着用するズボンの中に挿入することが可能になっている。  さらに、外側部１０３は単独でも絶縁性及び防水性を有する。
【００６７】
さらに、本発明の実施の形態によれば、締付バンド１３８Ｌ、１３８Ｒにより左右の袖部１３３Ｌ、１３３Ｒの先端側を絞り、絞り部１２７Ｌ、１２７Ｒにより後身頃１２５Ｂの胴回りの位置を絞ることで、絶縁上着１０１の裏側に多くの空気が溜まるようにして、空調効果を更に高めることができる。  さらに、絶縁上着１０１の上又は下からフルハーネスを着用しても、空調装置１０４により空調効果を高めることができる。［第２の実施形態］  以下、図７〜図９を参照して、本発明の第２の実施形態を詳細に説明する。第２の実施形態は、前記本体部の内部に外部の空気を導入するファン部を有することを特徴とする。  
【００６８】
＜第２の実施形態の構成＞
図７は、本発明の第２の実施形態の絶縁上着を示す正面図である。
図８は、本発明の第２の実施形態の絶縁上着を示す背面図である。
図９は、本発明の第２の実施形態の絶縁上着の結合部の配置を示す説明図である。
【００６９】
まず、図７を用いて絶縁上着１の正面側を説明する。  図７において、絶縁上着１は、上側部２と下側部３を結合部４により結合することでジャンパー型に形成したものであり、ユーザ（作業者）が上半身に着用して使用される。  
【００７０】
絶縁上着１の上側部２は、絶縁性及び防水性が高い材質Ａ（例えば絶縁布）で形成され、ユーザ（作業者）の胴体上側部分を覆う上側本体部２１と、作業者の胸側において上側本体部２１の左側及び右側の端部側部分を連結・分離自在な面ファスナ２２（図９参照）と、前記材質Ａで形成され、ユーザの左右の腕を覆う左右の袖部２３Ｌ、２３Ｒと、前記材質Ａで形成された襟部２４を有している。  
【００７１】
面ファスナ２２は、係止面とフック面による一対の面ファスナ構造（所謂、マジックテープ構造）を用いており、上側本体部２１の左上側前身頃２１Ｌと右側上側前身頃２１Ｒを結合させるものである。左上側前身頃２１Ｌの右辺には、覆部２５（図９参照）が連続して形成されている。覆部２５は、前記材質Ａで形成され、面ファスナ２２を前方から覆う。  
【００７２】
左右の袖部２３Ｌ、２３Ｒの手首に対応する位置には、面ファスナ構造を用いた締付バンド２６Ｌ、２６Ｒが形成されている。締付バンド２６Ｌ、２６Ｒは、左右の袖部２３Ｌ、２３Ｒの手首に対応する位置を締め付けるようになっている。  
【００７３】
上側部２の裏側には、左右のスペーサ２７Ｌ、２７Ｒが、ユーザの胸、肩、及び背中上部に対応する位置を亘って設けられている。左右のスペーサ２７Ｌ、２７Ｒには、隙間２８（図８参照）が設けられており、後述の空調装置３２（図８参照）からの空気を通り易くしている。  
【００７４】
上側部２の上側本体部２１の下辺と、下側部３の下側本体部３１の上辺とは、連結・分離自在な結合部４により結合されている。  
【００７５】
また、上側本体部２１の下辺には、絶縁性及び防水性が高い材質Ａで形成された覆部２９（図９参照）が連続して形成されている。覆部２９は、結合部４を前方から覆う。  
【００７６】
絶縁上着１の下側部３は、前記絶縁性及び防水性が高い材質Ａよりも絞れる構造又は柔らかい材質Ｂ（例えば、メリヤス等の布）で形成された下側本体部３１と、空調装置３２（図８参照）とを有している。  
【００７７】
下側部３の下側本体部３１は、結合部３３（図９参照）により、左下側前身頃３１Ｌと右下側前身頃３１Ｒのそれぞれの端部側部分を連結・分離自在になっている。左下側前身頃３１Ｌの右辺には、覆部３４（図９参照）が連続して形成されている。覆部３４は、前記材質Ｂで形成され、結合部３３を前方から覆う。  
【００７８】
下側本体部３１の下辺左側及び右側には、ゴムを内設した左右の絞り部３５Ｌ、３５Ｒが設けられている。左右の絞り部３５Ｌ、３５Ｒは、後述のファン部（空調装置３２）が導入した空気を下側本体部３１の下辺（裾）から漏らさないようにしている。  
【００７９】
次に、図８を用いて絶縁上着１の背面を説明する。  図８において、上側本体部２１の背面側は、前記材質Ａで形成された上側後身頃２１Ｂとなっている。上側後身頃２１Ｂの裏側の左右肩甲骨に対応する部分には、左右のスペーサ２７Ｌ、２７Ｒが配置されている。  
【００８０】
下側本体部３１の背面側は前記材質Ｂで形成された下側後身頃３１Ｂとなっている。下側後身頃３１Ｂの裏側には、空調装置３２が設けられている。  
【００８１】
空調装置３２は、取り付け領域３２ａに左右のエアインテーク３６Ｌ、３６Ｒを設け、左右のエアインテーク３６Ｌ、３６Ｒ内に左右の空調ファン３７Ｌ、３７Ｒを設けたものである。左右の空調ファン３７Ｌ、３７Ｒは、モータとバッテリによって回転駆動されるようになっている。  
【００８２】
下側後身頃３１Ｂの左寄り及び右寄りには、空調装置３２の左右のエアインテーク３６Ｌ、３６Ｒに通じる左右の開口部３８Ｌ、３８Ｒが設けられている。  
【００８３】
絶縁上着１の外部の空気は、開口部３８Ｌ、３８Ｒを介して左右の空調ファン３７Ｌ、３７Ｒにより絶縁上着１の内部に送風され、スペーサ２７Ｌ、２７Ｒの隙間２８を通って絶縁上着１とユーザの体との間を循環し、袖部２３Ｌ、２３Ｒとユーザの手首との隙間、襟部２４とユーザの首部との隙間を通って、絶縁上着１の外側に排出される。  
【００８４】
尚、空調装置３２により送風された空気の経路は、前記の経路に限らず、絶縁上着１とユーザの肩部との間を通過して、袖部２３Ｌ、２３Ｒとユーザの手首との隙間のみから外部に排出される、襟部２４のみから排出される等、各種適用可能である。  
【００８５】
次に、図９を用いて、結合部４、面ファスナ２２、結合部３３の構造について説明する。  図９において、結合部４は、ファスナ構造であり、スライダ（開閉部品）４ａのスライドにより、上側部２の上側本体部２１と下側部３の下側本体部３１との着脱を行えるようになっている。  
【００８６】
面ファスナ２２は、上側本体部２１における左上側前身頃２１Ｌと右上側前身頃２１Ｒの開閉を行えるようになっている。  
【００８７】
結合部３３は、ファスナ構造であり、スライダ（開閉部品）３３ａのスライドにより、下側本体部３１における左下側前身頃３１Ｌと右下側前身頃３１Ｒの開閉を行えるようになっている。
【００８８】
＜本発明の実施の形態の構成及び効果＞
本発明の実施の形態の絶縁上着１は、ユーザの腕を覆う袖部２３Ｌ、２３Ｒと、ユーザの上半身の胴体部分を覆う本体部（上側本体部２１、下側本体部３１）と、少なくともユーザの腕からユーザの胸部について絶縁性能を有する絶縁部（上側部２）と、を有する絶縁上着１であって、前記本体部（下側本体部３１）に配置され、前記絶縁上着１の内部に外部の空気を導入するファン部（空調装置３２）を有する。
【００８９】
前記絶縁上着１の胴回りの下端部の少なくとも一部は、前記絶縁部（上側部２）よりも絞れる構造又は柔らかい材質で形成された柔部（下側本体部３１）を有し、この柔部（下側本体部３１）は、前記ファン部（空調装置３２）が導入した空気を漏らさないように形成されている。
【００９０】
ユーザの肩部付近に前記ファン部（空調装置３２）が導入した空気を前記袖部２３Ｌ、２３Ｒに導風するために、前記絶縁上着１とユーザとの間に導風空間を形成する導風構造（スペーサ２７Ｌ、２７Ｒ）を有する。
前記絶縁部（上側部２）と、前記柔部（下側本体部３１）とは、着脱自在に形成されている。
【００９１】
以上説明した本発明の実施の形態によれば、絶縁上着１の外部の空気は、開口部３８Ｌ、３８Ｒを介して空調装置３２の左右の空調ファン３７Ｌ、３７Ｒにより絶縁上着１の内部に送風され、スペーサ２７Ｌ、２７Ｒの隙間２８を通って絶縁上着１とユーザの体との間を循環し、袖部２３Ｌ、２３Ｒや襟部２４とユーザの体との隙間を通って絶縁上着１の外側に排出されるので、絶縁上着１を着用したユーザの体感温度を低下させることができる。
【００９２】
また、絶縁上着１は、絶縁機能及び空調機能を同時に備えている。  さらに、空調装置３２による空調機能を備える下側部３は、結合部４により、絶縁性及び防水性を有する上側部２から着脱可能である。
【００９３】
さらに、空調装置３２は、下側本体部３１の洗濯やメンテナンスのため、下側本体部３１から取り外しが可能になっている。  さらに、下側本体部３１の下部は、ユーザが着用するズボンの中に挿入することが可能になっている。  さらに、上側部２は単独でも絶縁性及び防水性を有する。
【００９４】
さらに、本発明の実施の形態によれば、締付バンド２６Ｌ、２６Ｒにより左右の袖部２３Ｌ、２３Ｒの先端側を絞り、絞り部３５Ｌ、３５Ｒにより下側後身頃３１Ｂの胴回りの位置を絞ることで、絶縁上着１の裏側に多くの空気が溜まるようにして、空調効果を更に高めることができる。  さらに、絶縁上着１の上又は下からフルハーネスを着用しても、空調装置３２により空調効果を高めることができる。  
【００９５】
本発明は、上記の実施形態に限られず、種々の変形、応用が可能である。以下、本発明に適用可能な第１の実施形態の変形態様について説明する。
【００９６】
＜第２の実施形態の変形例＞  第２の実施形態の変形例では、下側本体部３１の下辺部において、締付バンド２６Ｌ、２６Ｒの代わりに、紐を内設し、紐を結ぶことで、下側本体部３１の胴回りの部分を締め付ける構造にしている。これ以外の構成は、図７乃至図９に示した第２の実施形態と同様である。
【００９７】
このような変形例においても、図７乃至図９に示した第２の実施形態と同様の効果が得られる。
【００９８】
＜第３の実施形態＞  本発明に係る第３の実施形態では、絶縁上着１の下側部３において、下側身頃３１の下側後身頃３１Ｂを材質Ａよりも絞れる構造又は柔らかい材質Ｂのままとし、左下側前身頃３１Ｌと右下側前身頃３１Ｒを絶縁性及び防水性を有する材質Ａで形成する。  このような第３の実施形態によれば、図７乃至図９に示した第１の実施形態と同様の効果に加えて、絶縁効果を及び防水効果をさらに高めることができる。
【００９９】
＜第３の実施形態の変形例＞  本発明に係る第３の実施形態の変形例では、絶縁上着１の裾だけ材質Ａよりも絞れる構造又は柔らかい材質Ｂにし、これ以外の布で形成される部分は、絶縁性及び防水性を有する材質Ａで形成する。  このような第３の実施形態の変形例によれば、図７乃至図９に示した第１の実施形態と同様の効果に加えて、絶縁効果を及び防水効果をさらに高めることができる。
【０１００】
以上、本発明の実施形態及びその変形例について図面を参照して詳述してきたが、具体的な構成はこれらの実施形態に限られるものではなく、本発明の要旨を逸脱しない範囲の設計の変更等があっても本発明に含まれる。
【０１０１】
例えば、（１）下側後身頃３１Ｂを絶縁性及び防水性を有する素材とする、（２）全体が絶縁性及び防水性を有する材質Ａで形成された絶縁上着に空調装置３２を設ける、（３）前側が絶縁性及び防水性を有する材質Ａで形成され、後側が柔らかい材質Ｂで形成された絶縁上着に空調装置３２を設ける等が適用可能である。
【産業上の利用可能性】
【０１０２】
本発明の絶縁上着は、比較的に気温が高く感電災害の虞のある作業現場で効果的に利用できる。
【符号の説明】
【０１０３】
１…絶縁上着  ２…上側部  ３…下側部  ４…結合部  ２１…上側本体部  ２１Ｂ…上側後身頃  ２１Ｌ…左上側前身頃  ２１Ｒ…右上側前身頃  ２２…面ファスナ  ２３Ｌ、２３Ｒ…左右の袖部  ２４…襟部  ２５…覆部  ２６Ｌ、２６Ｒ…左右の締付バンド  ２７Ｌ、２７Ｒ…左右のスペーサ  ２８…隙間  ２９…覆部  ３１…下側本体部  ３１Ｂ…下側後身頃  ３１Ｌ…左下側前身頃  ３１Ｒ…右下側前身頃  ３２…空調装置  ３３…結合部  ３４…覆部  ３５Ｌ、３５Ｒ…左右の絞り部  ３６Ｌ、３６Ｒ…左右のエアインテーク  ３７Ｌ、３７Ｒ…左右の空調ファン  ３８Ｌ、３８Ｒ…左右の開口部
１０１…絶縁上着
１０２…内側部
１０３…外側部
１０４…空調装置
１２１…内側本体部
１２２…内側結合部、
１２３Ｌ、１２３Ｒ…内側袖部
１２４…内側襟部
１２５Ｌ…左側前身頃  １２５Ｒ…右側前身頃  １２５Ｂ…後身頃  １２６…覆部  １２７Ｌ、１２７Ｒ…左右の絞り部
１２８…スペーサ
１２９…隙間  １３０Ｌ、１３０Ｒ…左右の開口部  １３１…外側本体部  １３２ａ、１３２ｂ…結合部  １３２ａ−１、１３２ｂ−１…フック面  １３２ａ−２、１３２ｂ−２…ループ面  １３２ｃ…スナップボタン  １３２ｃ−１…凸側  １３２ｃ−２…凹側  １３３Ｌ、１３３Ｒ…左右の袖部  １３４…襟部  １３５Ｌ…左側前身頃  １３５Ｒ…右側前身頃  １３５Ｂ…後身頃  １３６…覆部  １３７…結合部  １３８Ｌ、１３８Ｒ…締付バンド  １４１…取り付け領域  １４２Ｌ、１４２Ｒ…左右のエアインテーク  １４３Ｌ、１４３Ｒ…左右の空調ファン  １５１Ｌ、１５１Ｒ…スナップボタン  １５１Ｌ−２、１５１Ｒ−２…凹側  １５３Ｌ、１５３Ｒ…スナップボタン  １５３Ｌ−２、１５３Ｒ−２…凸側  １５４Ｌ、１５４Ｒ、１５５Ｌ、１５５Ｒ…スナップボタン  １５６、１５７…スナップボタン  １５６−１、１５７−１…凹側  １５６−２、１５７−２…凸側  １５８、１５９、１６０、１６１…スナップボタン  １５８−２…凸側
【図１】
2020193398.tif 000003
【図２】
2020193398.tif 000004
【図３】
2020193398.tif 000005
【図４】
2020193398.tif 000006
【図５】
2020193398.tif 000007
【図６】
2020193398.tif 000008
【図７】
2020193398.tif 000009
【図８】
2020193398.tif 000010
【図９】
2020193398.tif 000011